(57)【要約】【課題】  患者を撮像したカメラの撮像映像を基に、比較的簡易な操作で患者が上半身を起こした状態動作や離床動作を検知することができ、更にカメラを使用しても患者のプライバシーにも配慮できるナースコールシステムを提供する。【解決手段】  ベッド上の患者を撮像するカメラ５を設けると共に、カメラ５の撮像映像から患者が上半身を起こした状態や患者がベッド上から離れた状態を検出したら注意状態発生信号を出力する状態判断部２１を廊下灯に設け、ナースコール親機３は注意状態発生信号を受けて表示部３ｂに患者映像を表示して報知動作する。【選択図】  図１
2014090913.tif 000002
【特許請求の範囲】
【請求項１】
ベッドに設置されて患者が看護師を呼び出すためのナースコール子機と、ナースステーションに設置されて前記ナースコール子機による呼び出しに応答するためのナースコール親機とを有するナースコールシステムであって、
ベッド上の患者をベッド上方から撮像するカメラと、
前記カメラの撮像映像から、患者が上半身を起こした状態及び患者がベッド上から離れた状態のうち少なくとも一方の発生を判断して注意状態発生信号を出力する状態判断手段とを有し、
前記ナースコール親機は、前記注意状態発生信号を受けて報知動作する報知手段を有することを特徴とするナースコールシステム。
【請求項２】
前記ナースコール親機は、映像を表示するモニタ及び前記注意状態発生信号を受信したら前記モニタに前記カメラの撮像映像を表示させる映像制御部を有することを特徴とする請求項１記載のナースコールシステム。
【請求項３】
映像を保存する映像記憶部を有し、
前記映像制御部は、前記モニタへのカメラ撮像映像の表示に合わせて、前記カメラの撮像映像を前記映像記憶部に保存することを特徴とする請求項２記載のナースコールシステム。
【請求項４】
前記ナースコール親機は、前記モニタに表示されるカメラの撮像映像に対して、患者の判別を不可能とするための判別不可処理を実施する判別不可処理部と、
前記判別不可処理を実施する患者を選択する判別不可設定部とを有し、
前記映像制御部は、前記判別不可設定された患者の撮像映像が送信さたら、前記判別不可処理を実施した映像を前記モニタに表示させることを特徴とする請求項２記載のナースコールシステム。
【請求項５】
前記カメラの撮像映像を保存する映像記憶部を有し、
前記映像制御部は、前記判別不可設定された患者の撮像映像が送信さたら、判別不可処理する前のカメラ撮像映像を前記映像記憶部に保存することを特徴とする請求項４記載のナースコールシステム。
【請求項６】
前記判別不可処理部は、カメラの撮像映像をモザイク処理した映像を出力し、
前記映像制御部は、前記判別不可設定された患者の撮像映像に対しては前記モザイク処理を実施した映像を前記モニタに表示させることを特徴とする請求項４又は５記載のナースコールシステム。
【請求項７】
前記判別不可処理部は、カメラの撮像映像をマスキング処理した特定の映像を出力し、
前記映像処理部は、前記判別不可設定された患者の撮像映像に対しては前記マスキング処理を実施した特定の映像を前記モニタに表示させることを特徴とする請求項４又は５記載のナースコールシステム。
【請求項８】
前記ナースコール子機からの呼び出しに応答するために看護師が携行する携帯端末と、前記注意状態発生信号を受けて、前記カメラの撮像映像を前記携帯端末に送信する通信制御手段とを有することを特徴とする請求項１乃至７の何れかに記載のナースコールシステム。
【請求項９】
ベッド上の人物をベッド上方から撮像するカメラと、
前記カメラの撮像映像から、ベッド上の人物が上半身を起こした状態及びベッドから離れた状態のうち少なくとも一方の発生を判断して注意状態発生信号を出力する状態判断手段と、
前記注意状態発生信号を受けて報知動作する報知手段とを備えて成ることを特徴とする状態判断システム。
【発明の詳細な説明】
【技術分野】
【０００１】
本発明は、ベッド上の患者を見守る機能を備えたナースコールシステム及び状態判断システムに関する。
【背景技術】
【０００２】
ベッド上の患者や被介護者が起き上がろうとしたり、離床する等の自発行動時に、ベッドから転落したり転倒するなどの危険性がある。また、痴呆症による徘徊は、危険を伴うため早期に介護者等に知らせる必要がある。
そのため、ベッド周囲に荷重を検知するマット型センサを配置して離床を検知するよう工夫したり、カメラによりベッド上の患者を撮像してその撮像映像を解析して患者の状態を判断した。例えば特許文献１では、患者を横方向から撮像して、患者の画像領域の大きさが所定値以上になったら起き上がったと判断した。
【先行技術文献】
【特許文献】
【０００３】
【特許文献１】特開２００６−１７５０８２号公報
【発明の概要】
【発明が解決しようとする課題】
【０００４】
上記マット型センサを使用して患者の離床を検知する構成は、監視対象の患者以外の人物が乗った場合も作動してしまうため誤報が多かったし、段差が発生するため患者がつまずいて転倒する問題もあった。
一方で、カメラの撮像映像から判断する構成は、カメラを備えたナースコールシステムに適用しやすいため普及することが期待できるが、カメラの撮像映像を基にした構成はプライバシー保護の観点から使用が制限される場合が考えられるため、そのための対策も求められていた。しかしながら、上記特許文献１の技術は、横方向から患者を撮像するため患者以外の人物が映像に入りやすく誤動作が発生し易かった。
【０００５】
そこで、本発明はこのような問題点に鑑み、患者を撮像したカメラの撮像映像を基に、ベッド上の患者が上半身を起こした状態や離床をベッド周りの状況に拘わらず検知することができ、更にカメラを使用しても患者のプライバシーにも配慮できるナースコールシステムを提供することを目的としている。
【課題を解決するための手段】
【０００６】
上記課題を解決する為に、請求項１の発明は、ベッドに設置されて患者が看護師を呼び出すためのナースコール子機と、ナースステーションに設置されてナースコール子機による呼び出しに応答するためのナースコール親機とを有するナースコールシステムであって、ベッド上の患者をベッド上方から撮像するカメラと、カメラの撮像映像から、患者が上半身を起こした状態及び患者がベッド上から離れた状態のうち少なくとも一方の発生を判断して注意状態発生信号を出力する状態判断手段とを有し、ナースコール親機は、注意状態発生信を受けて報知動作する報知手段を有することを特徴とする。
この構成によれば、カメラの撮像映像から患者が上半身を起こした状態や離床を検知し、ナースステーションにそれを通知することができるため、患者が注意を要する体勢をとった場合やベッドから落ちた或いは離れた場合に、ナースステーションに居る看護師がそれを認識できる。そのため、看護師は定期的に病室まで見守りに行く必要が無くなり業務負担を軽減できる。また、カメラによる撮像映像を基に検知するため、特別な装置を使用すること無く安価な構成で実施できるし、ベッド上方から撮像することで、ベッド周囲に誰か居ても誤動作を防止できる。
【０００７】
請求項２の発明は、請求項１に記載の構成において、ナースコール親機は、映像を表示するモニタ及び注意状態発生信号を受信したらモニタにカメラの撮像映像を表示させる映像制御部を有することを特徴とする。
この構成によれば、患者が上半身を起こした或いはベッドから離れたと判断された映像がナースステーションにて確認できるため、看護師は患者の元へ出かけること無く状況を映像で把握でき、看護業務に役立てることができる。
【０００８】
請求項３の発明は、請求項２に記載の構成において、映像を保存する映像記憶部を有し、映像制御部は、モニタへのカメラ撮像映像の表示に合わせて、カメラの撮像映像を映像記憶部に保存することを特徴とする。
この構成によれば、呼出操作した患者の映像が保存されるため、後から呼出時の患者の状態を把握でき、看護業務に役立つ。
【０００９】
請求項４の発明は、請求項２に記載の構成において、ナースコール親機は、モニタに表示されるカメラの撮像映像に対して、患者の判別を不可能とするための判別不可処理を実施する判別不可処理部と、判別不可処理を実施する患者を選択する判別不可設定部とを有し、映像制御部は、判別不可設定された患者の撮像映像が送信さたら、判別不可処理を実施した映像をモニタに表示させることを特徴とする。
この構成によれば、判別不可設定された患者に対しては、ナースコール親機に表示される映像を誰であるか判別できない映像にできる。よって、患者の希望によりプライバシーを保護できるし、人物の判別ができなくても表示映像から体勢を判別できれば看護業務に役立てることができる。
【００１０】
請求項５の発明は、請求項４に記載の構成において、カメラの撮像映像を保存する映像記憶部を有し、映像制御部は、判別不可設定された患者の撮像映像が送信さたら、判別不可処理する前のカメラ撮像映像を映像記憶部に保存することを特徴とする。
この構成によれば、判別不可設定された患者の撮像映像であっても、保存される映像は判別不可処理前の映像であるため、保存映像を看護業務に役立てることができる。
【００１１】
請求項６の発明は、請求項４又は５記載の構成において、判別不可処理部はカメラの撮像映像をモザイク処理した映像を出力し、映像制御部は、判別不可設定された患者の撮像映像に対してはモザイク処理を実施した映像をモニタに表示させることを特徴とする。
この構成によれば、モニタに表示された映像に患者が入っていても、表示映像はモザイク処理された映像であるため患者が誰か判別できない。それでいて、人物の体勢を判別は可能な映像を表示できるため、プライバシー保護を図りながら患者の体勢を把握できる。
【００１２】
請求項７の発明は、請求項４又は５記載の構成にいて、判別不可処理部はカメラの撮像映像をマスキング処理して特定の映像を出力し、映像処理部は、判別不可設定された患者の撮像映像に対してはマスキング処理を実施した特定の映像をモニタに表示させることを特徴とする。
この構成によれば、モニタには特定の画像が表示されて呼出元の患者映像が表示されないため、患者のプライバシーを確実に保護できる。
【００１３】
請求項８の発明は、請求項１乃至７の何れかに記載の構成において、ナースコール子機からの呼び出しに応答するために看護師が携行する携帯端末と、注意状態発生信号を受けて、カメラの撮像映像を携帯端末に送信する通信制御手段とを有することを特徴とする。
この構成によれば、看護師がナースステーションに居なくても、患者の注意を要する状態の発生を映像と共に確実に看護師に通知できるため、看護師は適切な対応を採ることができる。
【００１４】
請求項９の発明に係る状態判断システムは、ベッド上の人物をベッド上方から撮像するカメラと、カメラの撮像映像から、ベッド上の人物が上半身を起こした状態及びベッドから離れた状態のうち少なくとも一方の発生を判断して注意状態発生信号を出力する状態判断手段と、注意状態発生信号を受けて報知動作する報知手段とを備えて成ることを特徴とする。
この構成によれば、カメラの撮像映像からベッド上の人物が上半身を起こした状態やベッドから落ちた或いは離床した場合を検知して報知手段が報知するため、介護者や看護師等の関係者は定期的に病室まで見守りに行く必要が無くなり負担を軽減できる。
【発明の効果】
【００１５】
本発明のナースコールシステムによれば、カメラの撮像映像から患者が上半身を起こした状態や離床を検知し、ナースステーションにそれを通知することができるため、患者が注意を要する体勢をとった場合やベッドから落ちた或いは離れた場合に、ナースステーションに居る看護師がそれを認識できる。そのため、看護師は定期的に病室まで見守りに行く必要が無くなり業務負担を軽減できる。また、カメラによる撮像映像を基に検知するため、特別な装置を使用すること無く安価な構成で実施できる。
また、本発明の状態判断システムによれば、カメラの撮像映像からベッド上の人物が上半身を起こした状態やベッドから落ちた或いは離床した場合を検知して、報知手段が報知するため、介護者や看護師等の関係者は定期的に病室まで見守りに行く必要が無くなり負担を軽減できる。
【図面の簡単な説明】
【００１６】
【図１】本発明に係るナースコールシステムの一例を示す構成図である。
【図２】カメラの配置を示す概略図である。
【図３】図１の廊下灯の回路ブロック図である。
【図４】図１のナースコール親機の回路ブロック図である。
【図５】注意状態発生と判断した患者のカメラ撮像映像を表示した表示部の説明図である。
【図６】プライバシー保護設定された患者のカメラ撮像映像を表示した表示部の説明図である。
【発明を実施するための形態】
【００１７】
以下、本発明を具体化した実施の形態を、図面を参照して詳細に説明する。図１は本発明に係るナースコールシステムの一例を示す構成図であり、１はベッド毎に設置されて患者が看護師を呼び出して通話するためのナースコール子機、２は各病室の出入口に設置されて患者からの呼出発生を報知する表示灯２ａと患者名表示部２ｂとを備えた廊下灯、３はナースステーションに設置されて患者からの呼び出しを受けて応答するためのナースコール親機、４は機器間の通信を制御する制御機、５はベッド毎に設置されて患者を撮像するカメラ、６は看護師が携行して患者からの呼び出しに応答するための携帯端末、７は基地局８を介して携帯端末６の通信を管理する交換機である。
【００１８】
廊下灯２、ナースコール親機３、制御機４、カメラ５等はそれぞれＨＵＢ１０を介してＬＡＮ接続され、ナースコール子機１は病室毎に廊下灯２に伝送線Ｌ１を介して接続されている。また、交換機７は伝送線Ｌ２を介して制御機４に接続されている。
【００１９】
ナースコール子機１は、呼出ボタン１ａと壁面に設置されたプレート子機１ｂを有し、プレート子機１ｂは呼出ボタン１ａの接続部及び看護師と通話するための通話部を備えている。また、カメラ５は図２の概略配置図に示すようにベッド９の上方に、詳しくはベッド９に伏した状態の患者Ｍの頭部の上方に設置され、患者の頭部を中心に撮像するよう設置されている。
【００２０】
図３は廊下灯２の回路ブロック図を示している。図３に示すように、廊下灯２は表示灯２ａ、患者名表示部２ｂに加えて、カメラ５の撮像映像から患者の状態を判定する状態判断部２１、判断するためのデータベースとしての画像データや設定値等を記憶する設定値記憶部２２、廊下灯２を制御する廊下灯ＣＰＵ２３、他のナースコール機器とＨＵＢ１０を介してＬＡＮ接続するための通信インターフェース（通信ＩＦ）２４等を備えている。
【００２１】
状態判断部２１は、患者の形状を抽出するアルゴリズムとして、例えば公知のＳＩＦＴ（Scale Invariant Feature Transform）、或いはＳＵＲＦ(Speeded-Up Robust Features)による特徴量を使用した識別方法により患者の状態を判断するよう構成されている。
尚、表示灯２ａは、例えばＬＥＤ等の発光素子で構成され、患者名表示部２ｂは例えば液晶モニタで構成されている。
【００２２】
ナースコール親機３は、患者と通話したり放送するためのハンドセットや報音部を備えた通話部３ａ、各種情報を表示する表示部３ｂ、個々の患者の患者情報表示部Ｍが一覧表示されたボード部３ｃ等を有している。
図４はナースコール親機３の主要部の回路ブロック図を示し、表示部３ｂに表示する画像或いは映像を制御する映像処理部３２、表示部３ｂに組み付けられた操作部としてのタッチパネル３３、ナースコール子機１とカメラ５との対応関係や各種設定情報、更に画像や映像を記憶する情報記憶部３４、ナースコール親機３全体を制御する親機ＣＰＵ３５、通話部３ａで報音する或いは通話部３ａから入力される音声信号を処理する音声処理部３７、ボード部３ｃに設けられて呼出元を発光して通知する通知灯３８、他のナースコール機器とＬＡＮ接続するための通信インターフェース（通信ＩＦ）３９等を備えている。
【００２３】
尚、映像処理部３２は、入力された患者撮像映像において人物の判別を不可能にするためにモザイク処理して出力するモザイク処理機能を有している。また、表示部３ｂは例えば７型の液晶モニタが使用され、通話部３ａの近傍に配置されている。
【００２４】
上記の如く構成されたナースコールシステムの動作は以下のようである。ここでは、ナースコール子機１の呼出操作を受けて廊下灯２が報知動作し、ナースコール親機３或いは携帯端末６で応答する動作は従来と同様であるため説明を省略し、状態判断部２１を動作させる「見守り設定」を中心に説明する。
タッチパネル３３の所定の操作で、任意の患者に対して「見守り設定」にでき、この設定を受けて、親機ＣＰＵ３５が設定された患者に関連付けられているカメラ５を常時撮像状態として、廊下灯２の状態判断部２１を起動する。
【００２５】
具体的に、見守り設定状態では、状態判断部２１が設定値記憶部２２に記憶されている画像データを基準として撮像映像から患者の状態を判断する。そして、特定の状態が発生したと判断したら、即ち患者が起き上がった或いはベッド上から居なくなったと判断したら、信号（注意状態発生信号）をナースコール親機３及び制御機４に対して出力し、合わせてカメラ５の撮像映像を送信する。
【００２６】
尚 、起き上がった状態を判断する場合は、一定時間（例えば、５秒）その体勢が維持されたら注意状態発生信号を出力すると良く、寝返りを打つ動作を起き上がり動作と判断するような誤動作を防止できる。また、判断する体勢として、ここでは上半身を起こした状態及びベッド上から居なくなった状態としているが、何れか一方だけ判断させても良いし更に他の体勢を加えても良い。
【００２７】
この注意状態発生信号を受信したナースコール親機３は、警報音を報音すると共に、親機ＣＰＵ３５の制御で信号に含まれるカメラＩＤ情報を読み取り、情報記憶部３４を参照して通知元の患者を特定する。そして、特定した患者の患者情報を表示部３ｂに表示し、送信された映像を表示部３ｂに表示する。また、表示映像を情報記憶部３４に保存する。
尚、ナースコール子機１とベッド番号の対応テーブル、ナースコール子機１と患者の対応テーブル、担当看護師テーブル、患者氏名や性別等の患者情報、ナースコール子機１とカメラ５の対応テーブル等は、ナースコール親機３の情報記憶部３４に記憶されている。
【００２８】
図５は、このときの表示部３ｂの表示説明図であり、病室番号Ｐ１や患者氏名Ｐ２、更には診療科目Ｐ３等の発生元情報が表示される発生元情報表示部Ｄ１、患者の映像が表示される映像表示部Ｄ２、更にメッセージ表示部Ｄ３等の表示エリアが設けられている。メッセージ表示部Ｄ３には、例えば「注意行動が発生しました」と表示され、注意状態発生により映像が表示されていることが表示される。
尚、この図５における映像表示部Ｄ２に表示されている映像は、ベッド上方に配置したカメラ５で撮像したものであるが、正確にはベッドに伏した患者の頭部上方となる壁面に設置されたカメラ５で撮像している。また、画面の右側は自動で開始される録画映像の操作ボタンＤ４となっている。
【００２９】
一方、この注意状態発生信号を受信した制御機４は、信号に含まれるＩＤ情報から、関連付けられている看護師情報及び携帯端末情報をナースコール親機２の情報記憶部３４を参照して入手し、読み取った携帯端末６、即ち担当看護師が携行する携帯端末６に対して、注意状態の発生を通知する信号と共に病室番号等の発生元情報、及びカメラ撮像映像を送信する。
この信号を受信した携帯端末６は、ナースコール親機３の表示と同様に、表示部６ａに発生元情報、患者映像、メッセージが表示される（図示せず）。
【００３０】
このように、カメラ５の撮像映像から患者が上半身を起こした状態や離床を検知し、ナースステーションにそれを通知することができるため、患者が注意を要する体勢をとった場合やベッドから離れた或いは落ちたら、ナースステーションに居る看護師がそれを認識できる。そのため、看護師は定期的に病室まで見守りに行く必要が無くなり業務負担を軽減できる。また、カメラ５による撮像映像を基に検知するため、特別な装置を使用すること無く安価な構成で実施できる。
更に、患者が上半身を起こした或いはベッドから離れたと判断された映像がナースステーションにて確認できるため、看護師は患者の元へ出かけること無く状況を映像で把握でき、看護業務に役立てることができる。
また、呼出操作した患者の映像が保存されるため、後から呼出時の患者の状態を把握でき、看護業務に役立つし、携帯端末６にも映像と共に通知するため、看護師がナースステーションに居なくても、患者の注意を要する状態の発生を映像と共に認識でき、看護師は適切な対応を採ることができる。
【００３１】
次に、プライバシー保護機能について説明する。上述したように本発明のナースコールシステムは、患者が上半身を起こした状態等の注意が必要な動きが発生したら、その患者映像がナースステーションにおいて表示されるが、タッチパネル３３の操作で、表示部３ｂの表示映像から患者を判別できないよう画像処理する判別不可設定が可能となっている。
【００３２】
具体的に、タッチパネル３３を操作して判別不可設定画面（図示せず）を表示させ、判別不可とするベッド番号或いは患者名を選択することで判別不可設定を実施できる。この設定を受けて、親機ＣＰＵ３５は判別不可設定されたカメラ５を特定し、情報記憶部３４に記憶する。
尚、判別不可設定する際、ベッド番号が選択された場合は、情報記憶部３４に記憶されているナースコール子機１番号とベッド番号の対応テーブル、及びナースコール子機１とカメラ５の対応テーブルからカメラ５が特定されるし、患者名が選択された場合は、ナースコール子機１と患者の対応テーブル、及びナースコール子機１とカメラ５の対応テーブルからカメラ５が特定される。
【００３３】
こうして判別不可設定されたカメラ５の撮像映像がナースコール親機３に送信されると、親機ＣＰＵ３５の制御により映像処理部３２が受信したカメラ撮像映像に対してモザイク処理を実施し、モザイクが掛かった映像が表示部３ｂに表示される。この結果、判別不可設定された患者が起き上がり等の動作をした場合、表示部３ｂに注意状態発生信号の発信元情報の表示と共にモザイクが掛かり人物の判別が難しい映像が表示される。但し、このとき録画される映像は、ナースコール親機３が受信した映像であってモザイク処理する前の撮像映像が録画される。
図６はこのときの表示部３ｂの表示説明図であり、映像表示部Ｄ２に表示される映像はモザイクが掛かり人物の判別が不可能な状態であることを示している。
【００３４】
このように、判別不可設定された場合、モザイク処理された映像が表示されるため、呼出操作した患者が誰か判別できない。よって、この映像が看護師等の関係者ではない第３者に見られてもプライバシーを確実に保護することができる。それでいて、患者がどのような体勢でいるか映像から把握することが可能であり、引き続き看護業務に役立てることができる。
また、判別不可設定された患者の撮像映像であっても、保存される映像は判別不可処理前の映像であるため、保存映像を看護業務に役立てることができる。
【００３５】
また、患者を判別できない映像処理（判別不可処理）としては、マスキング処理も有効である。マスキング処理の場合、例えば、親機ＣＰＵ３５によるカメラ５の撮像映像の表示制御は実施するが、表示部３ｂには例えば「表示できません」の文字情報を映像に被せて表示する。この表示により、看護師は判別不可設定されていることを理解できるし、カメラ５は撮像動作しているため、映像の保存も引き続き実施できる。そして、表示部３ｂには呼出元の患者映像が全く表示されないため、患者のプライバシーを確実に保護できる。
更に、判別不可設定された患者に対しては、映像に加えて発生元情報表示部Ｄ１に表示される患者の氏名に対してもモザイク処理を実施して、判別できないようにしても良いし、判別不可設定した場合、単純にカメラ５による撮像を停止させても良い。
【００３６】
尚、上記実施形態では、カメラ５をベッドに伏した状態の患者の頭部上方に設置した場合を説明したが、ベッドの上方であれば良く例えばベッドに伏した患者の足もとの上方に設置しても良い。ベッドの上方から撮像することで、ベッド周囲に人物が居てもベッド上から撮像した映像は変化しないため、誤動作を防ぐことができる。
また、表示部３ｂが表示する映像は、１つの映像に限定するものではなく、注意状態発生信号が複数のカメラ５から重なって送信された場合は、対応する複数の映像を表示部３ｂに表示させても良い。
更に、ナースコール子機１とベッド番号の対応テーブル、ナースコール子機１と患者の対応テーブル等を、ナースコール親機３が記憶しているが、これらの情報は制御機４が記憶しても良い。
また、状態判断部２１を廊下灯２に設けているが、カメラ５に内蔵させても良いし、専用のアダプタを構成してカメラ５と廊下灯２の間に設置しても良い。
また、上記実施形態では、病室をナースコール子機１を１台設置した個室としたが、複数のベッドが配置された病室であっても良く、その場合は１台の廊下灯２に複数のナースコール子機１及び複数のカメラ５が接続される。
【産業上の利用可能性】
【００３７】
上記実施形態は、病院や介護施設で使用されるナースコールシステムに関して説明したが、見守り動作だけを考えた場合、ナースコールシステムに組み込まなくても良い。ベッド上の患者を撮像し、その撮像映像から患者の監視を必要とする状態の発生を判断して関係者に通知する状態判断システムの構成は、カメラと例えばパーソナルコンピュータ（状態判断手段及び報知手段）とを組み合わせれば構成でき、更に簡易に構成することができる。
【符号の説明】
【００３８】
１・・ナースコール子機、２・・廊下灯、３・・ナースコール親機、３ａ・・通話部（報知手段）、３ｂ・・表示部（モニタ）、４・・制御機（通信制御手段）、５・・カメラ、６・・携帯端末、２１・・状態判断部（状態判断手段）、３２・・映像処理部（判別不可処理部）、３３・・タッチパネル（判別不可設定部）、３４・・情報記憶部（映像記憶部）、３５・・親機ＣＰＵ、Ｄ１・・発生元情報表示部、Ｄ２・・映像表示部、Ｄ３・・メッセージ表示部。
【図１】
2014090913.tif 000003
【図２】
2014090913.tif 000004
【図３】
2014090913.tif 000005
【図４】
2014090913.tif 000006
【図５】
2014090913.tif 000007
【図６】
2014090913.tif 000008